(57)【要約】      （修正有）【課題】金属板を接着する場合のように、大きな重量増加やコストアップを伴うことなく、また滑走面材にグラフィックデザインを付けやすくしながら、滑走面の表面硬度を高めて、プラスチック製の滑走用マットにおける滑走性を向上させた滑走体を提供する。【解決手段】板状の芯部材１１と、芯部材の上面側を覆う上面部材層と、前記芯部材の下面側を覆い、滑走時に接地する滑走面を形成する下面部材層１２と、を備えてなり、下面部材層１３が、熱硬化性樹脂と繊維骨材からなる繊維強化プラスチックであることを特徴とする。【選択図】図３
0003185981.tif 000002
【実用新案登録請求の範囲】
【請求項１】
滑走時に接地する滑走面の全部又は一部が、熱硬化性樹脂と繊維骨材からなる繊維強化プラスチックで覆われていることを特徴とする滑走体。
【請求項２】
板状の芯部材と、
前記芯部材の上面側を覆う上面部材層と、
前記芯部材の下面側を覆い、滑走時に接地する滑走面を形成する下面部材層と、を備えてなり、
前記下面部材層が、熱硬化性樹脂と繊維骨材からなる繊維強化プラスチックであることを特徴とする滑走体。
【請求項３】
板状の芯部材と、
前記芯部材の上面に接着される上面部材層と、
前記芯部材の下面に接着され、滑走時に接地する滑走面を形成する下面部材層と、を備えてなり、
前記下面部材層が、熱硬化性樹脂と繊維骨材からなる繊維強化プラスチック製シートであることを特徴とする滑走体。
【請求項４】
前記上面部材層が、熱硬化性樹脂と繊維骨材からなる繊維強化プラスチック製シートであって、ビンディングが装着される化粧面を形成することを特徴とする請求項３記載の滑走体。
【請求項５】
前記熱硬化性樹脂は、エポキシ樹脂であることを特徴とする請求項１乃至４のいずれかに記載の滑走体。
【請求項６】
前記繊維骨材は、ガラス繊維であることを特徴とする請求項１乃至５のいずれかに記載の滑走体。
【考案の詳細な説明】
【技術分野】
【０００１】
本考案は、プラスチック製の滑走用マットを敷設したゲレンデに対応したスノーボード、スキー、そり等の滑走体に関する。
【背景技術】
【０００２】
スノーボードやスキー等、雪上で滑走するスポーツの夏期練習用として、雪のかわりに、ポリアミド系プラスチック（ナイロン）、オレフィン系プラスチック（ポリプロピレン、ポリエチレン等）、塩化ビニル系プラスチック（ポリ塩化ビニル、ポリ塩化ビニリデン等）その他のプラスチック製の滑走用マットを敷設したゲレンデが提供されている。これらの滑走用マットは、その基盤上面に多数の茎状体や葉状体が突設されており、その長さや先端形状を工夫して、滑走性を確保している。
【０００３】
これに対し、スノーボードやスキー板等の滑走体については、従来の雪上滑走用のものがそのまま使用されている。従来の雪上滑走用スノーボードは、例えば、図６に示すように、木又はプラスチック等で形成される板状の芯部材１０１と、その上面側を覆うように接着される上面部材層１０２と、下面側を覆うように接着される下面部材層１０３と、を備えてなる。
【０００４】
上面部材層１０２は、芯部材１０１の上面に接着される補強材としての繊維強化プラスチック層１０２ａと、さらにその上面に接着されるナイロン等の化粧材層１０２ｂからなる。また、下面部材層１０３は、芯部材１０１の下面に接着される滑走面補強材としての繊維強化プラスチック層１０３ａと、その下面に接着されて、滑走時に接地する滑走面材としてのポリエチレン層１０３ｂと、これらの間にはさみ込まれ、滑走面の外周縁沿いに延びて、滑走面の一部をなす金属製のエッジ部１０３ｃからなる。
【０００５】
滑走面材に使用されるポリエチレンは、雪の状態に応じてチューンアップするためのワックスを浸透させ易い特性を有しており、雪上では優れた滑走性を発揮するが、表面硬度が高くないため、プラスチック製マットを滑走すると、摩擦抵抗が大きく、雪上に比べて滑走スピードが遅くなる。特にジャンプ台で跳んで空中で技を決める競技では、必要な高さや滞空時間が得られない。
【０００６】
これに対し、滑走面材として金属を採用するアイデアが提案されている（例えば、特許文献１参照。）。これは、ステンレスやチタン等の高硬度の金属板を、従来の雪上滑走用のスキー板の形状に合わせて切断し、滑走面に接着して表面硬度を高めるものであり、プラスチック製の滑走用マットに対する摩擦抵抗を小さくして、滑走スピードを確保するものである。
【先行技術文献】
【特許文献】
【０００７】
【特許文献１】実用新案登録第３０３６２５５号公報
【考案の概要】
【考案が解決しようとする課題】
【０００８】
しかし、従来の冬用のスノーボードやスキー板に対して、ステンレス等の板を追加接着すると、重量増加が大きく取り扱いにくいという問題がある。チタン等の軽量金属を採用すれば重量増加は若干抑えられるが、やはり重く、かつ高価になりすぎる。金属板は、スキー板やスノーボードのサイドカットの曲線形状に合わせて切断するコストが高く、エアクッション破れ防止のために切断面のエッジ処理をすると、更に高くつく。また、スノーボード等では、滑走面材に、上面側の化粧材同様のグラフィックデザインを施すことがあるが、金属板はそのようなデザイン加工が難しい。
【０００９】
上記事情に鑑みて、本考案は、金属板を接着する場合のように、大きな重量増加やコストアップを伴うことなく、また滑走面材にグラフィックデザインを付けやすくしながら、滑走面の表面硬度を高めて、プラスチック製の滑走用マットにおける滑走性を向上させた滑走体を提供する。
【課題を解決するための手段】
【００１０】
請求項１の考案は、滑走時に接地する滑走面の全部又は一部が、熱硬化性樹脂と繊維骨材からなる繊維強化プラスチックで覆われていることを特徴とする滑走体を提供する。
【００１１】
請求項２の考案は、板状の芯部材と、前記芯部材の上面側を覆う上面部材層と、前記芯部材の下面側を覆い、滑走時に接地する滑走面を形成する下面部材層と、を備えてなり、前記下面部材層が、熱硬化性樹脂と繊維骨材からなる繊維強化プラスチックであることを特徴とする滑走体を提供する。
【００１２】
請求項３の考案は、板状の芯部材と、前記芯部材の上面に接着される上面部材層と、前記芯部材の下面に接着され、滑走時に接地する滑走面を形成する下面部材層と、を備えてなり、前記下面部材層が、熱硬化性樹脂と繊維骨材からなる繊維強化プラスチック製シートであることを特徴とする滑走体を提供する。
【００１３】
請求項４の考案は、前記上面部材層が、熱硬化性樹脂と繊維骨材からなる繊維強化プラスチック製シートであって、ビンディングが装着される化粧面を形成することを特徴とする請求項３記載の滑走体を提供する。
【００１４】
請求項５の考案は、前記熱硬化性樹脂は、エポキシ樹脂であることを特徴とする請求項１乃至４のいずれかに記載の滑走体を提供する。
【００１５】
請求項６の考案は、前記繊維骨材は、ガラス繊維であることを特徴とする請求項１乃至５のいずれかに記載の滑走体を提供する。
【考案の効果】
【００１６】
本考案の滑走体は、滑走時に接地する滑走面が熱硬化性樹脂と繊維骨材からなる繊維強化プラスチックで覆われており、ポリエチレン製の滑走面を有する従来の滑走体に比べて表面硬度が高いため、プラスチック製の滑走用マット上でも十分な滑走スピードを得られる。しかも繊維強化プラスチックは、金属板を使用するよりも切断加工し易く、低コストで軽量に製作することができる。
【００１７】
特に請求項３記載の滑走体は、滑走面を形成する繊維強化プラスチック製シートを芯部材の下面に直接接着する構造としたので、必要な強度剛性を確保しながら、部品点数や接着面数の減少によるコスト低減や軽量化が図られる。また、繊維強化プラスチック製シートであれば、金属板などとは異なり、昇華転写(サブリメーション)による染色処理で滑走面にも容易にグラフィックデザインを付けることができる。
【００１８】
さらに請求項４記載の滑走体は、滑走面に加えて、化粧面を形成する繊維強化プラスチック製シートを芯部材の上面に直接接着する構造としたので、必要な強度剛性を確保しながら、さらに部品点数や接着面数の減少によるコスト低減や軽量化を図ることができる。しかも芯部材の上下両面に繊維強化プラスチック製シートを接着することで、強度剛性のバランスが図られる。
【図面の簡単な説明】
【００１９】
【図１】本考案の実施形態に係るスノーボードの平面図。
【図２】本考案の実施形態に係るスノーボードの側面図。
【図３】本考案の実施形態に係るスノーボードのＡ−Ａ（図１）に相当する内部断面図。
【図４】本考案の実施形態の変形例を示す内部断面図。
【図５】本考案の実施形態の他の変形例を示す内部断面図。
【図６】従来のスノーボードの内部断面図。
【考案を実施するための形態】
【００２０】
以下、本考案の実施形態を、図１乃至図３を参照しながら説明する。図１は本実施形態に係るスノーボード１の平面図、図２は側面図である。スノーボード１は、図１に示すように、前端部１ａと、後端部１ｂと、これらを連結する中間部１ｃと、からなり、中間部１ｃの上面の二か所にビンディング固定部１ｄ，１ｅを有する。また、図２に示すように、スノーボード１は、側面視において、前端部１ａと後端部１ｂの先端が上方に反り上がるように湾曲しており、中間部１ｃの中央が上方に隆起したブリッヂ状に湾曲している。なお、本考案は、図２に示す形状以外の側面視形状にも適用できることは言うまでもない。例えば、図２より湾曲箇所数が多い波形状のもの、中間部の下面が平坦なもの、あるいは中間部１ｃの下面が下方に凸状となっているものにも適用可能である。
【００２１】
図３は、スノーボード１のＡ−Ａ断面を示す。スノーボード１は、板状の芯部材１１と、芯部材１１の上面側を全面的に覆う上面部材層１２と、芯部材１１の下面側を全面的に覆う下面部材層１３と、からなる三層構造となっている。芯部材１１は、スノーボード１の基材であり、木や発泡プラスチックなどの軽量な素材で形成され、上述の湾曲形状が付けられている。上面部材層１２及び下面部材層１３は、エポキシ樹脂にガラス繊維を組み合わせてなる厚み０．５〜１．５ｍｍ程度の繊維強化プラスチック製シートである。なお、厚みは１．５ｍｍより大きくても良い。
【００２２】
上面部材層１２は、芯部材１１の上面に全面接着されて、そのままスノーボード１のビンディングを装着する化粧面を形成する。化粧面となる面には、昇華性インクでグラフィックデザインを印刷した転写紙を重ねて高温高圧でインクをエポキシ樹脂に浸透させる昇華転写(サブリメーション)方式の染色処理が施されている。また、下面部材層１３は、芯部材１１の下面に全面接着されて、そのままスノーボード１が滑走時に接地する滑走面を形成する。エポキシ樹脂は、高い表面硬度と耐熱性を有するため、滑走用マットを滑走しても摩擦抵抗が小さく、十分なスピードを得られて、摩擦熱で溶ける心配もない。滑走面には、化粧面と同様に、昇華転写方式の染色処理によりグラフィックデザインが付加されている。なお、エッジ部は、茎状体や葉状体が突設される滑走用マットでは不要であるため、廃止した。
【００２３】
上面部材層１２及び下面部材層１３は、繊維強化プラスチック製シートが接着されているため、芯部材１１の上面及び下面に強度剛性を付与する補強材としても機能する。そのため、従来の雪上用スノーボードのように化粧材と補強材あるいは滑走面材と滑走面補強材を重ねる二層構造は不要であり、上述のエッジ部廃止と併せて、部品点数と接着面数の減少によるコスト低減や軽量化が図られる。特に、本実施形態では、エッジ部廃止により、下面部材層１３と芯部材１１が全面接着されることとなって一体性がより高められ、滑走面の強度剛性は従来のスノーボードより向上している。
【００２４】
（上記実施形態の変形例）
上記実施形態に係るスノーボード１は、芯部材１１の上面に化粧材となる繊維強化プラスチック製シートを、下面に滑走面材となる繊維強化プラスチック製シートを接着したが、図４に示すスノーボード２のように、上記繊維強化プラスチック製シートを芯部材２１の下面に接着して下面部材層２３とする一方、上面部材層２２は、従来の補強材（繊維強化プラスチック層２２ａ）と、ナイロン等の化粧材（化粧材層２２ｂ）等からなる多層構造としても良い。あるいは、図５に示すように、従来の雪上用のスノーボード１００の滑走面を覆うように、上記繊維強化プラスチック製シート（符号３１）を滑走面材として追加接着しても良い。
【００２５】
上記実施形態では、化粧材及び滑走面材となる上記繊維強化プラスチック製シートで、芯部材１１の上面及び下面を全部覆うこととしたが、一部のみを覆うこととしても良い。例えば前端部１ａと後端部１ｂの先端の湾曲部分等のあまり接地しない部分を他の素材で覆ったり、滑走条件等に応じて上記繊維強化プラスチック製シートの使用割合を減らしたり、下面部材層にエッジ部材を設けることして、滑走面の一部を形成するようにしても良い。図６に示される従来のスノーボード１００において、滑走面材となるポリエチレン層１０３ｂのみを、上記実施形態で使用している繊維強化プラスチック又は繊維強化プラスチック製シートに置き換えた構造を採用しても良い。
【００２６】
上記実施形態では、滑走面材及び化粧材となる繊維強化プラスチックの原料樹脂としてエポキシ樹脂を使用したが、表面硬度や耐熱性など条件をクリアするものであれば、フェノール樹脂、不飽和ポリエステル、メラミン樹脂、尿素樹脂等、その他の熱硬化性樹脂を使用しても良い。また、繊維強化プラスチックの原料繊維として、安価なガラス繊維を使用したが、炭素繊維、アラミド繊維、その他の繊維又はこれらを組み合わせた繊維、もしくはこれらとガラス繊維を組み合わせた繊維を使用しても良い。
【００２７】
その他、本考案は、上記実施形態に限定されるものではなく、その要旨を逸脱しない範囲で適宜変更を加え得ることは勿論である。
【符号の説明】
【００２８】
１    スノーボード
１１    芯部材
１２    上面部材層（繊維強化プラスチック製シート）
１３    下面部材層（繊維強化プラスチック製シート）
２    スノーボード
２１    芯部材
２２    上面部材層
２３    下面部材層（繊維強化プラスチック製シート）
１００    スノーボード
【図１】
0003185981.tif 000003
【図２】
0003185981.tif 000004
【図３】
0003185981.tif 000005
【図４】
0003185981.tif 000006
【図５】
0003185981.tif 000007
【図６】
0003185981.tif 000008